(57)【要約】【課題】ブラケットとプリント回路基板について、垂直方向および水平方向の位置合わせを可能にするとともに仮固定を可能にし、作業効率を向上させた支持部材を提供することを目的とする。【解決手段】コネクタ部に対向した位置に配置された開口部１０４と、プリント回路基板１０８に向かって突出し、プリント回路基板１０８の表側と裏側からプリント回路基板１０８を挟み込む複数の突部１０６、１０７を備え、２つの突部１０６は、プリント回路基板１０８に配置された切り欠き部１１０ａ、１１０ｂに係合する爪部１０６ａ、１０６ｂを有する構成である。【選択図】図２
2012151055.tif 000002
【特許請求の範囲】
【請求項１】
コネクタ部が取り付けられた基板を支持する支持部材であって、
前記コネクタ部に対向した位置に配置された開口部と、
前記基板に向かって突出し、前記基板の表側と裏側から前記基板を挟み込む複数の突部を備え、
複数の前記突部の少なくとも１つは、前記基板に配置された切り欠き部に係合する爪部を有し、
複数の前記突部が前記基板の表側と裏側から前記基板を挟み込んで前記基板の垂直方向の位置ずれを規制し、
複数の前記突部の少なくとも１つが前記基板の前記切り欠き部に係合して前記基板の水平方向の位置ずれを規制した
支持部材。
【請求項２】
前記爪部を弾性材料で形成した請求項１に記載の支持部材。
【発明の詳細な説明】
【技術分野】
【０００１】
ここに開示された技術は、コネクタ部品が配置された基板を支持する支持部材に関する。
【背景技術】
【０００２】
テレビ受信装置・表示装置・パーソナルコンピュータ・ラジオ・ステレオなどの電子機器には、映像入出力端子・データ入出力端子・音声入出力端子などの情報入出力端子が具備されている。
【０００３】
一般的に、これらの情報入出力端子は、メス型のコネクタ部品である。このようなメス型のコネクタ部品は、電子機器に配置された基板の外縁部に固定されている。そして、このメス型のコネクタ部品は、電子機器の外装カバーから露出するように配置されている。
【０００４】
外装カバーには、開口部が設けられており、この開口部をメス型のコネクタ部品に対向させるようにしている。この開口部を介して、イヤホンジャック等のオス型のコネクタ部品をメス型のコネクタ部品に差し込み、電気的な接続をしている。
【０００５】
なお、基板は、支持部材に支持されている。一般的に、この支持部材はブラケットと呼ばれる。このブラケットは、外装カバーの一部になる場合もある。
【０００６】
ユーザは、オス型のコネクタ部品をメス型のコネクタ部品に差し込む際、差し込み力がメス型のコネクタ部品に加わる。このような場合、メス型のコネクタ部品は基板に配置されているので、メス型のコネクタ部品に加えられた力によって、基板が湾曲する可能性がある。
【０００７】
近年、電子機器の軽薄短小化・低コスト化の進展に伴って、情報入出力端子をプリント回路基板の外縁部に固定し、この基板をブラケットで保持する構成が提案されている。
【０００８】
例えば、図３に示すように、映像入力用のＳ端子５および映像・音声用のＲＣＡ端子６が配置されたプリント回路基板９をブラケット４で支持する構成が提案されている。
【０００９】
ブラケット４には、Ｓ端子５の接続部５ａを挿入し、ＲＣＡ端子６の接続部６ａを挿入するための開口部４ａ、４ｂ、４ｃ、４ｄが配置されている。
【００１０】
また、ブラケット４には、プリント回路基板９の外縁部を挟持するための係合片１０、１１が配置されている。この係合片１０、１１の高さ方向の間隔はプリント回路基板９の板厚とほぼ同等に設定されている。そして、プリント回路基板９の外縁部を図３の位置Ａに接触させて、プリント回路基板９を係合片１０、１１によって挟み込んでいる。この結果、プリント回路基板９は係合片１０、１１によって挟持される。
【００１１】
また、ブラケット４には、ガイド板２３を有するリブ２２が配置されている。このリブ２２は、Ｓ端子５の頂部５ｂに接触する位置に配置されている。また、ガイド板２３によって、ブラケット４をプリント回路基板９に取り付ける際、Ｓ端子５の接続部５ａが開口部４ａに挿入し易くなるようにしている。
【００１２】
このような構成は、例えば、特許文献１に開示されている。
【先行技術文献】
【特許文献】
【００１３】
【特許文献１】特開２０１０−２５１２２９号公報
【発明の概要】
【発明が解決しようとする課題】
【００１４】
従来のブラケット４をプリント回路基板９の外縁部に取り付ける際、プリント回路基板９の垂直方向は、ブラケット４に設けた係合片１０、１１によって規制される。この規制によって、ブラケット４とプリント回路基板９とを正確に位置合わせできる。
【００１５】
しかし、水平方向は規制されていないので、水平方向は正確に位置合わせできない。さらに、係合片１０、１１は、垂直方向の規制ができるだけであって、プリント回路基板９をブラケット４に仮固定できるものでもない。すなわち、プリント回路基板９をブラケット４に接着剤等で固定しなければ、プリント回路基板９をブラケット４に支持することができないので、作業効率が悪い。
【００１６】
ここに開示された技術は上記問題を解決し、ブラケット４とプリント回路基板９について、垂直方向および水平方向の位置合わせを可能にするとともに仮固定を可能にし、作業効率を向上させた支持部材を提供することを目的とする。
【課題を解決するための手段】
【００１７】
ここに開示された技術は上記目的を達成するために以下の構成を有する。
【００１８】
ここに開示された支持部材は、コネクタ部が取り付けられた基板を支持する支持部材であって、前記コネクタ部に対向した位置に配置された開口部と、前記基板に向かって突出し、前記基板の表側と裏側から前記基板を挟み込む複数の突部を備え、複数の前記突部の少なくとも１つは、前記基板に配置された切り欠き部に係合する爪部を有し、複数の前記突部が前記基板の表側と裏側から前記基板を挟み込んで前記基板の垂直方向の位置ずれを規制し、複数の前記突部の少なくとも１つが前記基板の前記切り欠き部に係合して前記基板の水平方向の位置ずれを規制した構成である。
【発明の効果】
【００１９】
上記構成により、突部が基板の表側と裏側から基板を挟み込んで基板の垂直方向の位置ずれを規制し、複数の突部の少なくとも１つが基板の切り欠き部に係合して基板の水平方向の位置ずれを規制する。したがって、垂直方向および水平方向の位置合わせを可能にするとともに仮固定を可能にし、作業効率を向上させることができる。
【図面の簡単な説明】
【００２０】
【図１】一実施の形態における基板と支持部材の配置関係を示す分解斜視図
【図２】一実施の形態における基板と支持部材の配置関係を示す他の分解斜視図
【図３】一実施の形態における基板を支持部材で支持した状態を示す要部断面図
【図４】従来の基板と支持部材の配置関係を示す分解斜視図
【発明を実施するための形態】
【００２１】
以下、一実施の形態における基板を支持する支持部材について図面を参照しながら説明する。
【００２２】
図１において、支持部材はメス型のコネクタ部が取り付けられた基板を支持しており、この支持部材はブラケット１０１に相当し、メス型のコネクタ部はイヤホン端子１０２に相当する。このイヤホン端子１０２には、接続部１０３を介して、イヤホンジャック等のオス型のコネクタ部が接続される。
【００２３】
また、ブラケット１０１には、イヤホン端子１０２に対向した位置に配置された開口部１０４と、ＳＤカードを挿入するための開口部１０５とを有する。このブラケット１０１の裏面側には、プリント回路基板１０８に向かって、複数の突部１０６、１０７が突出している。この複数の突部１０６、１０７は、プリント回路基板１０８の表側と裏側からプリント回路基板１０８を挟み込んでいる。
【００２４】
複数の突部１０６、１０７の内、２つの突部１０６は、その先端部に爪部１０６ａ、１０６ｂが設けられている。この爪部１０６ａ、１０６ｂは、プリント回路基板１０８の外縁部に配置された切り欠き部１１０ａ、１１０ｂに係合される。
【００２５】
なお、プリント回路基板１０８の先端部には、イヤホン端子１０２とＳＤカード用スロット１０９とが半田・接着剤などによって固着されている。また、開口部１０４は、接続部１０３を挿入し易くするために接続部１０３の外周径より若干大きな口径に設計されている。例えば、開口部１０４と接続部１０３とのクリアランスが５０〜２００μｍになるように設計されている。
【００２６】
このような構成によって、２つの突部１０６がプリント回路基板１０８の表側と裏側からプリント回路基板１０８を挟み込んでプリント回路基板１０８の垂直方向の位置ずれを規制する。また、２つの突部１０６がプリント回路基板１０８の切り欠き部１１０ａ、１１０ｂに係合してプリント回路基板１０８の水平方向の位置ずれを規制する。
【００２７】
以下、爪部１０６ａ、１０６ｂについて詳細に説明する。
【００２８】
図２に示すように、爪部１０６ａ、１０６ｂは、内側面が平坦な突起体の先端に爪が形成された構成をしている。そして、爪部１０６ａと爪部１０６ｂとの間隔は、プリント回路基板１０８の先端部の幅と同じ寸法に設定されている。また、爪部１０６ａ、１０６ｂは、ブラケット１０１をプリント回路基板１０８の先端部に装着する際のガイド板として機能するように設計されている。
【００２９】
突部１０７は、図２に示すように、爪部１０６ａと１０６ｂとの間の所望の位置に設けられている。そして、突部１０７の上部の平坦面１０７ａが、プリント回路基板１０８の先端部の裏面と当接している。また、突部１０７の傾斜面１０７ｂは、ブラケット１０１をプリント回路基板１０８の先端部に装着する際のガイド板として機能するように設計されている。
【００３０】
突部１０６は、軟質ポリスチレン樹脂・軟質ポリプロピレン樹脂などの弾力性（バネ性）を有する軟質プラスチックあるいは燐青銅・ジルコニアなどの弾性体で構成されている。中でも、軟質プラスチックは、突部１０６、１０７を含むブラケット１０１全体を金型成形加工などによって一体成型できるため製造コストが安価になる点で好ましい。
【００３１】
以下に、ブラケット１０１をプリント回路基板１０８の先端部に装着する方法について説明する。
【００３２】
プリント回路基板１０８の先端部の裏側を突部１０７の傾斜面１０７ｂに当接させ、かつプリント回路基板１０８の外縁部を爪部１０６ａ、１０６ｂの内側面に当接させる。そして、ブラケット１０１をプリント回路基板１０８に対して水平方向、すなわち、図１に示す矢印方向に移動させる。このとき、爪部１０６ａ、１０６ｂは、弾性力によって、プリント回路基板１０８の表面に乗り上がるため、上方に湾曲する。そして、爪部１０６ａ、１０６ｂの爪が切り欠き部１１０ａ、１１０ｂに到達すると、弾性力によって下方に押し下げられて、切り欠き部１１０ａ、１１０ｂに係合される。ブラケット１０１がプリント回路基板１０８に係合された状態は図３に示す通りである。
【００３３】
したがって、プリント回路基板１０８の水平方向への位置ずれは爪部１０６ａ、１０６ｂによって規制され、プリント回路基板１０８の垂直方向への位置ずれは突部１０７によって規制される。この結果、ブラケット１０１をプリント回路基板１０８の先端部１０８ａに確実に仮固定することができる。
【００３４】
また、ブラケット１０１の開口部１０４および１０５と、イヤホン端子１０２の接続部１０３およびＳＤカード用スロット１０９の挿入部とを正確に位置合わせすることができる。なお、ブラケット１０１を本固定するには、フレーム・筐体などの固定部材（図示せず）にネジ止めなどの締結部品で固定すればよい。
【００３５】
上述した突部１０６、１０７の配置は、プラグをイヤホン端子１０２に差し込んだときに、差し込む力がイヤホン端子１０２を下方に押し下げる方向に作用する場合に有効である。もし、差し込む力がイヤホン端子１０２を上方に押し上げる方向に作用する場合は、爪部１０６ａ、１０６ｂと突部１０７との配置を上下反対に設けてもよい。
【００３６】
このように、本実施の形態では、突部１０６、１０７がプリント回路基板１０８の表側と裏側からプリント回路基板１０８を挟み込んでプリント回路基板１０８の垂直方向の位置ずれを規制し、２つの突部１０６がプリント回路基板１０８の切り欠き部１１０ａ、１１０ｂに係合してプリント回路基板１０８の水平方向の位置ずれを規制する。したがって、垂直方向および水平方向の位置合わせを可能にするとともに仮固定を可能にし、作業効率を向上させることができる。
【００３７】
また、ブラケット１０１をプリント回路基板１０８以外の物で支持しなくても、ブラケット１０１がプリント回路基板１０８に支持されるので、プリント回路基板１０８に対してブラケット１０１を空中保持できる。例えば、ブラケット１０１およびプリント回路基板１０８は、テレビ受信装置に配置される。このテレビ受信装置のサイズによっては、ブラケット１０１およびプリント回路基板１０８を配置する配置スペースが十分に確保できない場合がある。
【００３８】
このような場合、ブラケット１０１はテレビ受信装置内の基板等に固定されることがなく、プリント回路基板１０８にのみ支持されて、空中状に配置された不安定な取り付け状態になることがある。しかし、本実施の形態では、ブラケット１０１は、プリント回路基板１０８に対して垂直方向および水平方向に対して仮固定されるので、空中状に配置された不安定な取り付け状態でもしっかりと支持される。
【００３９】
また、プリント回路基板１０８には、ＳＤカード用スロット１０９が配置されている。このような場合、プリント回路基板１０８とブラケット１０１を同一平面上になるようにして、ブラケット１０１の開口部１０５にＳＤカード用スロット１０９を挿入する必要がある。すなわち、ブラケット１０１をプリント回路基板１０８に支持させる方向が制約されてしまう。しかし、本実施の形態では、プリント回路基板１０８の表側と裏側からプリント回路基板１０８を挟み込む複数の突部１０６、１０７が、プリント回路基板１０８に向かって突出しているので、ブラケット１０１をプリント回路基板１０８に容易に支持させることができる。
【００４０】
なお、本実施の形態では、コネクタ部品としてイヤホン端子１０２について説明したが、Ｓ端子・ＵＳＢ端子・データ入出力端子などの情報入出力端子あるいはＤＣ電源用端子などを用いても同様である。
【００４１】
また、上述したテレビ受信装置の他に、表示装置・パーソナルコンピュータ装置・ラジオ受信装置・音響装置・携帯電話装置などの電子装置などに適用できる。中でも、薄型化が要求される電子装置に好適である。
【００４２】
また、上述したプリント回路基板１０８にはメス型のコネクタ部品を取り付けたが、オス型のコネクタ部品を取り付けてもよい。
【００４３】
また、上述したブラケット１０１は、テレビ受信装置の他、各種の電子装置の外装カバーの一部として形成されてもよい。
【産業上の利用可能性】
【００４４】
ここに開示された技術によれば、垂直方向および水平方向の位置合わせを可能にするとともに仮固定を可能にし、作業効率を向上させることができるので、各種の電子機器に適用できる。
【符号の説明】
【００４５】
１０１    ブラケット
１０２    イヤホン端子
１０３    接続部
１０４    開口部
１０５    開口部
１０６    突部
１０６ａ    爪部
１０６ｂ    爪部
１０７    突部
１０８    プリント回路基板
１０９    ＳＤカード用スロット
１１０ａ    切り欠き部
１１０ｂ    切り欠き部
【図１】
2012151055.tif 000003
【図２】
2012151055.tif 000004
【図３】
2012151055.tif 000005
【図４】
2012151055.tif 000006